(57)【要約】【課題】外部の情報端末で車両の状態確認や高精度な自立航法のナビゲーション機能を実現できる車両情報提供装置を提供する。【解決手段】オイル交換ボタン１の押下を検出し、制御部２がＲＴＣ５から日時を取得し、走行距離記憶装置３からその時点の走行距離を取得し、メモリ９に記憶する。また、制御部２は、車速パルス発生装置１１から取得した車速パルスデータや角度センサーから取得した角度データをメモリ９に記憶する。そして、操作部８から入力された暗証番号と、狭域無線部６から入手した暗証番号とが一致した場合のみ、メモリ９に記憶したデータを提供する。【選択図】  図１
2004196251.tif 000002
【特許請求の範囲】
【請求項１】
狭域無線を用いて外部の情報端末との間で車両関連情報を通信する通信手段と、第１の暗証番号を入力する暗証番号入力手段と、前記第１の暗証番号を記憶する暗証番号記憶手段と、前記外部の情報端末から入手した日時データを記憶して時間の経過とともにカウントアップする他端末情報蓄積手段とを備え、前記暗証番号記憶手段に記憶された前記第１の暗証番号と前記通信手段により入手した第２の暗証番号とが一致した場合のみ車両関連情報を前記外部の情報端末に提供することを特徴とする車両情報提供装置。
【請求項２】
オイル交換時にオイル交換ボタンを押下することにより発生する押下信号を検出する検出手段と、前記オイル交換ボタンが押下された日時と走行距離とを記憶するオイル交換時情報記憶手段とを備え、前記車両関連情報が前記オイル交換時情報記憶手段に記憶されたオイル交換に関する情報を含むことを特徴とする請求項１記載の車両情報提供装置。
【請求項３】
車速パルスデータと角度データとを記憶する車速情報記憶手段を備え、前記車両関連情報が前記車速パルスデータおよび前記角度データの少なくとも一方を含むことを特徴とする請求項１または２記載の車両情報提供装置。
【請求項４】
前記車両関連情報を前記外部の情報端末に提供する場合、前記外部の情報端末からの要求毎に１つのデータを送信するモードおよび定期的に入手したデータを送信するモードのいずれかのモードで情報を提供する情報提供モード選択手段を備えることを特徴とする請求項３記載の車両情報提供装置。
【請求項５】
前記第１の暗証番号と前記第２の暗証番号とが一致した場合でも、前記外部の情報端末からの要求が一定時間以内になかったときには、前記通信手段によって前記第２の暗証番号を再度入手して、前記第１の暗証番号と前記第２の暗証番号とが一致した場合のみ情報の提供を行う情報提供許可選択手段を備えることを特徴とする請求項１ないし４のいずれかに記載の車両情報提供装置。
【発明の詳細な説明】
【０００１】
【発明の属する技術分野】
本発明は、車両関連情報を外部の情報端末に提供する車両情報提供装置に関する。
【０００２】
【従来の技術】
従来の車両情報提供装置として、ＧＰＳを含んだナビゲーション装置に狭域無線を付加した装置が知られており、狭域無線を介して外部の情報端末との間で車両関連情報の通信を行っているものがある（例えば、特許文献１参照）。
【０００３】
【特許文献１】
特開２００１−２３９８９７号公報（第５−６頁、第１図）
【０００４】
【発明が解決しようとする課題】
しかしながら、このような従来の車両情報提供装置では、通信する車両関連情報について公開するか否かの選択を行うことができないという問題があった。
【０００５】
本発明はこのような問題を解決するためになされたもので、車両の状態確認や高精度な自立航法のナビゲーション機能を外部の情報端末で実現できるようにする車両情報提供装置を提供するものである。
【０００６】
【課題を解決するための手段】
本発明の車両情報提供装置は、狭域無線を用いて外部の情報端末との間で車両関連情報を通信する通信手段と、第１の暗証番号を入力する暗証番号入力手段と、第１の暗証番号を記憶する暗証番号記憶手段と、外部の情報端末から入手した日時データを記憶して時間の経過とともにカウントアップする他端末情報蓄積手段とを備え、暗証番号記憶手段に記憶された第１の暗証番号と通信手段により入手した第２の暗証番号とが一致した場合のみ車両関連情報を外部の情報端末に提供する。
【０００７】
この構成により、利用者により入力された第１の暗証番号と外部の情報端末から入手した第２の暗証番号とが一致した場合のみ、車両関連情報を提供するようにしたので、許可していない外部の情報端末に対しては車両関連情報の提供を行わず、情報の漏洩を防ぐことができる。
【０００８】
また、本発明の車両情報提供装置は、オイル交換時にオイル交換ボタンを押下することにより発生する押下信号を検出する検出手段と、オイル交換ボタンが押下された日時と走行距離とを記憶するオイル交換時情報記憶手段とを備え、車両関連情報がオイル交換時情報記憶手段に記憶されたオイル交換に関する情報を含む。
【０００９】
この構成により、許可した外部の情報端末に対してのみオイル交換に関する情報を提供することができる。
【００１０】
さらに、本発明の車両情報提供装置は、車速パルスデータと角度データとを記憶する車速情報記憶手段を備え、車両関連情報が車速パルスデータおよび角度データの少なくとも一方を含む。
【００１１】
この構成により、車速パルスデータや角度データなど、許可した外部の情報端末に対してのみ車両走行に関する情報を提供することができる。
【００１２】
さらに、車両関連情報を外部の情報端末に提供する場合、外部の情報端末からの要求毎に１つのデータを送信するモードおよび定期的に入手したデータを送信するモードのいずれかのモードで情報を提供する情報提供モード選択手段を備える。
【００１３】
この構成により、車速パルスデータや角度データのように定期的に更新される情報も、要求毎に逐一、または定期的に提供することができる。
【００１４】
さらに、本発明の車両情報提供装置は、第１の暗証番号と第２の暗証番号とが一致した場合でも、外部の情報端末からの要求が一定時間以内になかったときには、通信手段によって第２の暗証番号を再度入手して、第１の暗証番号と第２の暗証番号とが一致した場合のみ情報の提供を行う情報提供許可選択手段を備える。
【００１５】
この構成により、セキュリティのレベルを向上することができる。
【００１６】
【発明の実施の形態】
以下、本発明の実施の形態について、図面を用いて説明する。
【００１７】
図１に示すように、本発明の実施の形態の車両情報提供装置２０は、制御部２と、外部の情報端末としての緊急通報センター３０からの狭域無線信号を送受信するための狭域無線用アンテナ５と、緊急通報センター３０に対して接続制御や車両関連情報を含むデータの送受信を行う通信手段としての狭域無線部６と、緊急通報センター３０から狭域無線部６を介して入手した日時データを記憶して時刻をカウントアップする他端末情報蓄積手段としてのＲＴＣ４と、暗証番号などの入力を制御部２へ通知する暗証番号入力手段の機能をもつ操作部８と、操作部８からの入力などを表示する表示部７と、制御部２が周辺装置から入手したデータや暗証番号を記録するための暗証番号記憶手段の機能をもつメモリ９とを備えている。また、制御部２は、オイル交換ボタン１がオイル交換時に押下されたことを検出し、車速パルス発生装置１１から車輪の回転数をパルスとして検出し、角度センサー１０から車両の回転方向とその量を検出し、車両の走行距離を記憶している走行距離記憶装置３から走行距離を検出する。
【００１８】
次に、図２を用いて本発明の実施の形態における車両情報提供装置の動作を説明する。
【００１９】
まず、メモリ９に暗証番号の初期値が設定されているものとする。暗証番号を変更するのであれば、操作部８から暗証番号を入力して、その暗証番号をメモリ９に記憶する（Ｓ２０１）。
【００２０】
そして、オイル交換ボタン１が押下されたことを制御部２が検出したか否かを判定する（Ｓ２０２）。検出していない場合はＳ２０１に戻り、検出した場合には以下の処理を行う。
【００２１】
制御部２が、ＲＴＣ４から日時データを取得するとともに、走行距離記憶装置３から走行距離データを取得し、メモリ９にこれらのデータを記憶する（Ｓ２０３）。
【００２２】
そして、緊急通報センター３０からの暗証番号を狭域無線部６から制御部２が入手し、その暗証番号とＳ２０１でメモリ９に記憶した暗証番号とを照合し（Ｓ２０４）、暗証番号が一致しない場合にはＳ２０１に戻り、一致した場合には以下の処理を行う。
【００２３】
緊急通報センター３０の日時データを、制御部２が狭域無線部６を使用して、緊急通報センター３０から入手し、その日時データをＲＴＣ４に設定する。その後、ＲＴＣ４は、その日時データからカウントアップを開始する（Ｓ２０５）。
【００２４】
次に、制御部２が、定期的に更新すべきデータである、車両の回転方向とその量のデータを角度センサー１０から、車輪の回転数をパルスとして、車速パルス発生装置１１から取得し、それをメモリ９に記憶する（Ｓ２０６）。
【００２５】
そして、一定時間以内に、制御部２が緊急通報センター３０から狭域無線部６経由で、メモリ９に記憶してあるデータが要求された場合には緊急通報センター３０に対して要求されたデータを送信し（Ｓ２０８）、そうでない場合にはＳ２０１へ進む（Ｓ２０７）。
【００２６】
なお、Ｓ２０７において一定時間以内に緊急通報センター３０からの要求がない場合にはＳ２０１に進み、再度暗証番号を照合して一致するか判定しているが、Ｓ２０１に戻ることなく、一定時間を経過しても緊急通報センター３０からのデータの要求を待ち、要求されたデータを送信してもよい。
【００２７】
また、緊急通報センター３０へ送信するデータとしては、オイル交換時の日時データおよび走行距離を含めることができる。この場合にはオイル交換ボタン１によって押下信号が制御部２に通知されたときに、その時点の日時データと走行距離をメモリ９に記憶しておき、その情報を伝送することにより実現することができる。
【００２８】
さらに、緊急通報センター３０へ送信するデータとしては、Ｓ２０６でメモリ９に記憶された車速パルスデータおよび角度データを含めることができる。これらの情報を提供することにより、高精度な自立航法のナビゲーション機能が外部の情報端末で実現できる。
【００２９】
さらに、Ｓ２０７において、緊急通報センター３０にデータを送信する際には、要求毎にデータを送信してもよいし、定期的にデータを送信してもよい。車速データや角度データのように時々刻々と変化するデータを送信する際には定期的に送信することが望ましい。あるいは要求毎にデータ送信をすることにより通信コストを低減することができる。
【００３０】
【発明の効果】
以上のように、本発明の車両情報提供装置によれば、暗証番号により認証された外部の情報端末に対してのみ、車両関連情報を提供することにより外部の情報端末で提供される機能を利用することができる。
【図面の簡単な説明】
【図１】本発明の実施の形態における車両情報提供装置のブロック図
【図２】本発明の実施の形態における車両情報提供装置の動作フローを示す図
【符号の説明】
１  オイル交換ボタン
２  制御部
３  走行距離記憶装置
４  ＲＴＣ
５  狭域無線用アンテナ
６  狭域無線部
７  表示部
８  操作部
９  メモリ
１０  角度センサー
１１  車速パルス発生装置
２０  車両情報提供装置
３０  緊急通報センター
【図１】
2004196251.tif 000003
【図２】
2004196251.tif 000004